(57)【要約】  【課題】使用頻度の高い冷蔵室や冷蔵室下部に配置される特定低温室の収納容量を増やし、また、デフロスト時の暖気の流入を防止することで、庫内の着霜や氷結の発生を防止する冷蔵庫を提供する。  【解決手段】冷蔵庫本体１に複数の仕切壁により冷凍から冷蔵までの温度帯で構成された複数の断熱区画のうち冷凍温度帯よりも高温の断熱区画の戻り風路内にダンパ１６を配設したことにより、例えば冷蔵室下部に配置される使用頻度の高い特定低温室１７の容量を大きくすることができる。また、デフロスト時の冷却器７からの暖気の流入を防止することができ、ダンパ１６の上流側と下流側の温度差が小さくなりダンパ１６自身の着霜、氷結を防止することができる。【選択図】図２
2008138981.tif 000002
【特許請求の範囲】
【請求項１】
冷蔵庫本体と、前記冷蔵庫本体に複数の仕切壁により冷凍から冷蔵までの温度帯で構成された複数の断熱区画と、前記冷蔵庫本体の背面部に設置された冷却器と、前記冷却器の近傍に配置された冷気送風ファンと、前記冷気送風ファンと前記断熱区画とを連通する吐出風路と、前記断熱区画と前記冷却器とを連通する戻り風路とを備え、前記断熱区画のうち冷凍温度帯よりも高温の前記断熱区画の前記戻り風路内にダンパを配設したことを特徴とする冷蔵庫。
【請求項２】
前記断熱区画のうち冷凍温度帯断熱区画よりも高温である他の断熱区画と少なくとも２つ以上隣接する前記冷蔵庫本体のレイアウトとし、前記高温である断熱区画の前記戻り風路内にダンパを配設したことを特徴とする請求項１に記載の冷蔵庫。
【請求項３】
前記ダンパを前記冷凍温度帯断熱区画内に配設することを特徴とする請求項１または２に記載の冷蔵庫。
【請求項４】
前記ダンパを前記冷却器の近傍に配置された冷気送風ファン位置よりも同等より低い位置に配設したことを特徴とする請求項１から３のいずれか一項に記載の冷蔵庫。
【請求項５】
前記ダンパを前記戻り風路内に設置した温度センサーによって開閉制御させることを特徴とする請求項１から４のいずれか一項に記載の冷蔵庫。
【請求項６】
前記ダンパのフラップをデフロスト中に閉じることを特徴とする請求項１から５のいずれか一項に記載の冷蔵庫。
【発明の詳細な説明】
【技術分野】
【０００１】
本発明は、ダンパ装置を備えた冷蔵庫に関するものである。
【背景技術】
【０００２】
近年、様々なレイアウトの冷蔵庫が発売されている（例えば、特許文献１参照）。
【０００３】
図１０は、特許文献１に記載された従来の冷蔵庫を示すものである。図１０に示すように冷蔵庫本体１０１と、この本体の上部に設けられた冷蔵室１０２と、冷蔵室内の下部に設けられた特定低温室１１７と、冷蔵室の下に設けられて冷凍温度帯から冷蔵、野菜、チルド等の温度帯に切り替え可能な切替室１０３と、冷蔵室１０２の下で切替室１０３に並列に設けられた製氷室１０４と、本体下部に設けられた野菜室１０６と、並列に設置された切替室１０３及び製氷室１０４と野菜室１０６の間に設けられた冷凍室１０５と、冷気を生成する冷却器１０７と、冷気を各室に供給する冷気送風ファン１０８とを有し、冷凍室１０５に冷気を供給するための冷凍室用吐出風路（図示せず）と、冷凍室１０５から冷気を冷却器１０７に戻す冷凍室用戻り風路（図示せず）と、製氷室１０４に冷気を供給するための製氷室用吐出風路１１４と、製氷室１０４から冷気を冷却器１０７に戻す製氷室用戻り風路１１５と、切替室１０３に冷気を供給するための切替室用吐出風路１１２と、切替室１０３から冷気を冷却器１０７に戻すための切替室用戻り風路１１３と、冷蔵室１０２に冷気を供給するための冷蔵室用吐出風路１１０と、冷蔵室１０２への風量を制御するダンパ１１６と、冷蔵室１０２に送られた冷気を野菜室１０６に戻すための冷蔵室用戻り風路１１１と、野菜室１０６に送られた冷気を冷却器１０７に戻すための野菜室用戻り風路（図示せず）から構成される。
【特許文献１】特開２０００−２０５７３８号公報
【発明の開示】
【発明が解決しようとする課題】
【０００４】
しかしながら上記従来の構成では、冷蔵室を冷却するための冷蔵室吐出風路内にダンパを配置しており、使用頻度の高い冷蔵室や冷蔵室下部に配置される特定低温室の背面にダンパの配設に空間が必要で、容量が減ってしまうという課題を有していた。また様々なレイアウトの冷蔵庫が発売される中、冷却器から冷蔵室への吐出風路が複雑になると冷蔵室の温度調節用ダンパの配置が困難であり、冷蔵室や冷蔵室下部の特定低温室の収納容量を減らしてダンパを配設するという課題を有していた。また、風路の吐出側にダンパを設置すると動圧で圧損が大きくなり風量が低下するという課題を有していた。また、デフロスト時に抵抗の小さい吸込み側から上昇する暖気の流入を吐出側に設置したダンパでは完全に止めることができず、庫内の着霜や氷結の発生という課題を有していた。
【０００５】
本発明は、上記従来の課題を解決するもので、冷蔵室および冷蔵室下部の特定低温室の収納容量を増やし、また、デフロスト時の暖気の流入を防止することで、庫内の着霜や氷結の発生を防止する冷蔵庫を提供することを目的とする。
【課題を解決するための手段】
【０００６】
上記従来の課題を解決するために、本発明の冷蔵庫は、冷蔵庫本体と、冷蔵庫本体に複数の仕切壁により冷凍から冷蔵までの温度帯で構成された複数の断熱区画と、冷蔵庫本体の背面部に設置された冷却器と、冷却器の近傍に配置された冷気送風ファンと、冷気送風ファンと断熱区画とを連通する吐出風路と、断熱区画と冷却器とを連通する戻り風路とを備え、断熱区画のうち冷凍温度帯よりも高温の断熱区画の前記戻り風路内にダンパ装置を配設したことを特徴とするものである。
【０００７】
これによって、複雑である吐出側でなく、通常簡素化された吸込み風路内に配設するダンパ装置の配設が容易となる。また、吸込み側にダンパを配設することで、庫内への風量の圧損を小さくすることができる。また、風路抵抗の小さい吸込み側にダンパを配設することで、デフロスト時の冷却器からの暖気の流入を防止することができる。
【発明の効果】
【０００８】
本発明の冷蔵庫は、冷蔵庫本体に複数の仕切壁により冷凍から冷蔵までの温度帯で構成された複数の断熱区画のうち冷凍温度帯よりも高温の断熱区画の戻り風路内にダンパを配設したことにより、例えば冷蔵室の下部に配置されるチルド等の使用頻度の高い特定低温室のケースの大きさや、容量を大きくすることができる。また、吸込み側にダンパを配設することで、庫内への風量の圧損を小さくすることができ、冷蔵庫内全体の風量を大きくすることができ、同一風量を出すためのファンの回転数を低く設定できるため静音化も行うことができる。また、風路抵抗の小さい吸込み側にダンパを配設することで、デフロスト時の冷却器からの暖気の流入を防止することができダンパの上流側と下流側の温度差が小さくなりダンパ自身の着霜、氷結を防止することができる。
【発明を実施するための最良の形態】
【０００９】
請求項１に記載の発明は、冷蔵庫本体と、前記冷蔵庫本体に複数の仕切壁により冷凍から冷蔵までの温度帯で構成された複数の断熱区画と、前記冷蔵庫本体の背面部に設置された冷却器と、前記冷却器の近傍に配置された冷気送風ファンと、前記冷気送風ファンと前記断熱区画とを連通する吐出風路と、前記断熱区画と前記冷却器とを連通する戻り風路とを備え、前記断熱区画のうち冷凍温度帯よりも高温の前記断熱区画の前記戻り風路内にダンパを配設したことにより、複雑である吐出側でなく、通常簡素化された吸込み風路内に配設するダンパの配設が容易となり、例えば冷蔵室の下部に配置されるチルド等の使用頻度の高い特定低温室のケースの大きさや、容量を大きくすることができる。また、吸込み側にダンパを配設することで、庫内への風量の圧損を小さくすることができ、冷蔵庫内全体の風量を大きくすることができ、同一風量を出すためのファンの回転数を低く設定できるため静音化も行うことができる。また、風路抵抗の小さい吸込み側にダンパを配設することで、デフロスト時の冷却器からの暖気の流入を防止することができダンパの上流側と下流側の温度差が小さくなりダンパ自身の着霜、氷結を防止することができる。
【００１０】
請求項２に記載の発明は、請求項１に記載の発明において、前記断熱区画のうち冷凍温度帯断熱区画よりも高温である他の断熱区画と少なくとも２つ以上隣接する前記冷蔵庫本体のレイアウトとし、前記高温である断熱区画の前記戻り風路内にダンパを配設したことにより、上記レイアウトの冷蔵庫において、例えば冷蔵室の下部に配置されるチルド等の使用頻度の高い特定低温室のケースの大きさや、容量を大きくすることができる。また、吸込み側にダンパを配設することで、庫内への風量の圧損を小さくすることができ、冷蔵庫内全体の風量を大きくすることができるため、同一風量を出すためのファンの回転数を低く設定できるため静音化も行うことができる。また、風路抵抗の小さい吸込み側にダンパを配設することで、デフロスト時の冷却器からの暖気の流入を防止することができダンパの上流側と下流側の温度差が小さくなりダンパ自身の着霜、氷結を防止することができる。
【００１１】
請求項３に記載の発明は、請求項１または２に記載の発明において、前記ダンパを前記冷凍温度帯断熱区画内に配設することにより、様々なレイアウトで吐出風路の形状が複雑な場合でも、ダンパの配設を容易に行うことができ、例えば冷蔵室の下部に配置されるチルド等の使用頻度の高い特定低温室のケースの大きさや、容量を大きくすることができる。さらに、断熱区画の仕切り壁内にダンパを配設すると更に該当断熱区画内の容量を大きくすることができ、無効空間を低減できるため、庫内容量確保をより発揮することができる。
【００１２】
請求項４に記載の発明は、請求項１から３のいずれか一項に記載の発明において、前記ダンパを前記冷却器の近傍に配置された冷気送風ファン位置よりも同等より低い位置に配設したことにより、デフロスト時の冷却器からの暖気の流入を防止すると共に、着霜した冷却器の温度上昇を促進し、確実にデフロストを行うことができる。また、ダンパ配設の前後の風路で、温度差を小さくすることができるため、ダンパ自身の着霜、氷結も防止することができる。
【００１３】
請求項５に記載の発明は、請求項１から４のいずれか一項に記載の発明において、前記ダンパを前記戻り風路内に設置した温度センサーによって開閉制御させることにより、戻り風路内のダンパの上流側に設置した温度センサーが確実に庫内の温度を検知できるため、ドア開閉や高温の食品の投入等により、一時的な庫内の温度上昇に対してセンサーの誤検知を防止することができる。
【００１４】
請求項６に記載の発明は、請求項１から５のいずれか一項に記載の発明において、前記ダンパのフラップをデフロスト中に閉じることにより、デフロスト時の冷却器からの暖気の流入を確実に防止することができる。
【００１５】
以下、本発明の実施の形態について、図面を参照しながら説明する。なお、この実施の形態によってこの発明が限定されるものではない。
【００１６】
（実施の形態１）
図１は本発明の実施の形態１による冷蔵庫の正面図である。図２は本発明の実施の形態１による冷蔵庫の風路を示す正面図である。図３は本発明の実施の形態１によるダンパを冷気送風ファンよりも低い位置とした場合の冷蔵庫の風路を示す正面図である。
【００１７】
図１および図２、図３に示すように、冷蔵庫本体１と、この本体の上部に設けられた冷蔵室２と、冷蔵室内の下部に設けられた特定低温室１７と、冷蔵室２の下に設けられて冷凍温度帯から冷蔵、野菜、チルド等の温度帯に切り替え可能な切替室３と、冷蔵室２の下で切替室３に並列に設けられた製氷室４と、本体下部に設けられた野菜室６と、並列に設置された切替室３及び製氷室４と野菜室６の間に設けられた冷凍室５と、冷気を生成する冷却器７と、冷気を各室に供給する冷気送風ファン８とを有し、冷凍室５に冷気を供給するための冷凍室用吐出風路（図示せず）と、冷凍室５から冷気を冷却器７に戻す冷凍室用戻り風路（図示せず）と、製氷室４に冷気を供給するための製氷室用吐出風路１４と、製氷室４から冷気を冷却器７に戻す製氷室用戻り風路１５と、切替室３に冷気を供給するための切替室用吐出風路１２と、切替室３から冷気を冷却器７に戻すための切替室用戻り風路１３と、冷蔵室２に冷気を供給するための冷蔵室用吐出風路１０と、冷蔵室２に送られた冷気を野菜室６に戻すための冷蔵室用戻り風路１１と、野菜室６に送られた冷気を冷却器７に戻すための野菜室用戻り風路（図示せず）から構成される。このとき冷蔵室戻り風路１１内にダンパ１６を設置している。
【００１８】
以上のように構成された冷蔵庫について、以下その動作、作用について説明する。
【００１９】
冷却器７によって冷却される冷気を冷気送風ファン８で直接循環させることによって冷蔵室２と製氷室４と切替室３と冷凍室５を冷却し、さらに冷蔵室用戻り風路１１からダンパ１６を介して野菜室を冷却する。ダンパ１６を冷蔵室戻り風路１１に設置することで、複雑な冷蔵室用吐出風路１０であっても、冷蔵室の下部に配置されるチルド等の使用頻度の高い特定低温室１７のケースの大きさや、容量を大きくすることができる。
【００２０】
また、吸込み側にダンパを配設することで、庫内への風量の圧損を小さくすることができ、冷蔵庫内全体の風量を大きくすることができ、同一風量を出すための冷気送風ファン８の回転数を低く設定できるため静音化も行うことができる。
【００２１】
また、風路抵抗の小さい吸込み側にダンパ１６を配設することで、デフロスト時の冷却器７からの暖気の流入を防止することができダンパ１６の上流側と下流側の温度差が小さくなりダンパ１６自身の着霜、氷結を防止することができる。
【００２２】
なお、ダンパ１６を冷却器７の近傍に配置された冷気送風ファン８位置よりも同等または同等よりも低い位置に配設することで、デフロスト時の冷却器７からの暖気の流入を防止すると共に、冷却器７が扉開閉等により外気の湿度の流入で着霜した場合でも、冷却器７の温度上昇を促進し、確実にデフロストを行うことができる。
【００２３】
また、冷蔵室温度検知センサーを、冷蔵室戻り風路１１内のダンパ１６の上流側に設置することで、温度センサーが確実に庫内の温度を検知できるため、ドア開閉や高温の食品の投入等により、一時的な庫内の温度上昇に対してのセンサーの誤検知を防止することができる。
【００２４】
また、ダンパ１６のフラップをデフロスト中に閉じることにより、デフロスト時の冷却器７からの暖気の流入を確実に防止することができる。
【００２５】
（実施の形態２）
本発明による実施の形態２について、図面を参照しながら説明する。
【００２６】
なお、実施の形態１と同一構成及び作用については、同一符号を付して詳細な説明を省略する。
【００２７】
図４は本発明の実施の形態２による冷蔵庫の正面図である。図５は本発明の実施の形態２による冷蔵庫の風路を示す正面図である。図６は本発明の実施の形態２によるダンパを冷気送風ファンよりも低い位置とした場合の冷蔵庫の風路を示す正面図である。
【００２８】
図４および図５、図６において、冷蔵庫本体１と、この本体の上部に設けられた冷蔵室２と、冷蔵室内の下部に設けられた特定低温室１７と、本体下部に設けられた野菜室６と、冷蔵室２と野菜室６の間に設けられた冷凍室５と、冷気を生成する冷却器７と、冷気を各室に供給する冷気送風ファン８とを有し、冷凍室５に冷気を供給するための冷凍室用吐出風路（図示せず）と、冷凍室５から冷気を冷却器７に戻す冷凍室用戻り風路（図示せず）と、冷蔵室２に冷気を供給するための冷蔵室用吐出風路１０と、冷蔵室２に送られた冷気を野菜室６に戻すための冷蔵室用戻り風路１１と、野菜室６に送られた冷気を冷却器７に戻すための野菜室用戻り風路（図示せず）から構成される。そして、冷蔵室用戻り風路１１内にダンパ１６を設置している。
【００２９】
以上のように構成された冷蔵庫について、以下その動作、作用について説明する。
【００３０】
冷却器７によって冷却される冷気を冷気送風ファン８で直接循環させることによって冷蔵室２と冷凍室５を冷却し、さらに冷蔵室用戻り風路１１からダンパ１６を介して野菜室６を冷却する。ダンパ１６を冷蔵室戻り風路１１に設置することで、冷蔵室２の下部に配置されるチルド等の使用頻度の高い特定低温室１７のケースの大きさや、容量を大きくすることができる。
【００３１】
また、吸込み側にダンパ１６を配設することで、庫内への風量の圧損を小さくすることができ、冷蔵庫内全体の風量を大きくすることができ、同一風量を出すための冷気送風ファン８の回転数を低く設定できるため静音化も行うことができる。
【００３２】
また、風路抵抗の小さい吸込み側にダンパ１６を配設することで、デフロスト時の冷却器７からの暖気の流入を防止することができダンパ１６の上流側と下流側の温度差が小さくなりダンパ１６自身の着霜、氷結を防止することができる。
【００３３】
なお、本実施の形態のダンパ１６を仕切り壁内に収めることで、無効空間を減らし冷凍室５内の容量を大きくすることができる。
【００３４】
また、本実施の形態のダンパ１６を、冷却器７周辺に配設することで、冷却器７周辺に部品をまとめることができるため、無効空間を減らしたコンパクトな設計を行うことができる。
【００３５】
また、風路抵抗の小さい吸込み側にダンパ１６を配設することで、デフロスト時の冷却器７からの暖気の流入を防止することができダンパ１６の上流側と下流側の温度差が小さくなりダンパ１６自身の着霜、氷結を防止することができる。
【００３６】
また、ダンパ１６を冷却器７の近傍に配置された冷気送風ファン８位置よりも同等または同等よりも低い位置に配設することで、デフロスト時の冷却器７からの暖気の流入を防止すると共に、冷却器７が扉開閉等により外気の湿度の流入で着霜した場合でも、冷却器７の温度上昇を促進し、確実にデフロストを行うことができる。
【００３７】
また、冷蔵室温度検知センサーを、冷蔵室戻り風路１１内のダンパ１６の上流側に設置することで、温度センサーが確実に庫内の温度を検知できるため、ドア開閉や高温の食品の投入等により、一時的な庫内の温度上昇に対してのセンサーの誤検知を防止することができる。
【００３８】
また、ダンパ１６のフラップをデフロスト中に閉じることにより、デフロスト時の冷却器からの暖気の流入を確実に防止することができる。
【００３９】
（実施の形態３）
図７は本発明の実施の形態３による冷蔵庫の正面図である。図８は本発明の実施の形態３による冷蔵庫の風路を示す正面図である。図９は本発明の実施の形態３によるダンパを冷気送風ファンよりも低い位置とした場合の冷蔵庫の風路を示す正面図である。
【００４０】
図７および図８、図９に示すように、冷蔵庫本体１と、この本体の上部に設けられた冷蔵室２と、冷蔵室内の下部に設けられた特定低温室１７と、冷蔵室２の下に設けられて冷凍温度帯から冷蔵、野菜、チルド等の温度帯に切り替え可能な切替室３と、冷蔵室２の下で切替室３に並列に設けられた製氷室４と、本体下部に設けられた冷凍室５と、並列に設置された切替室３及び製氷室４と冷凍室５の間に設けられた野菜室６と、冷気を生成する冷却器７と、冷気を各室に供給する冷気送風ファン８とを有し、冷凍室５に冷気を供給するための冷凍室用吐出風路（図示せず）と、冷凍室５から冷気を冷却器７に戻す冷凍室用戻り風路（図示せず）と、製氷室４に冷気を供給するための製氷室用吐出風路１４と、製氷室４から冷気を冷却器７に戻す製氷室用戻り風路１５と、切替室３に冷気を供給するための切替室用吐出風路１２と、切替室３から冷気を冷却器７に戻すための切替室用戻り風路１３と、冷蔵室２に冷気を供給するための冷蔵室用吐出風路１０と、冷蔵室２に送られた冷気の一部を野菜室６に送り、残りを冷却器７に戻すための冷蔵室用戻り風路１１から構成される。そして、冷蔵室用戻り風路１１内にダンパ１６を設置している。
【００４１】
以上のように構成された冷蔵庫について、以下その動作、作用について説明する。
【００４２】
冷却器７によって冷却される冷気を冷気送風ファン８で直接循環させることによって冷蔵室２と製氷室４と切替室３と冷凍室５を冷却し、さらに冷蔵室用戻り風路１１から一部を分流させて野菜室６を冷却する。ダンパ１６を冷蔵室戻り風路１１に設置することで、複雑な冷蔵室用吐出風路１０であっても、冷蔵室の下部に配置されるチルド等の使用頻度の高い特定低温室１７のケースの大きさや、容量を大きくすることができる。
【００４３】
また、吸込み側にダンパを配設することで、庫内への風量の圧損を小さくすることができ、冷蔵庫内全体の風量を大きくすることができ、同一風量を出すための冷気送風ファン８の回転数を低く設定できるため静音化も行うことができる。
【００４４】
また、風路抵抗の小さい吸込み側にダンパ１６を配設することで、デフロスト時の冷却器７からの暖気の流入を防止することができダンパ１６の上流側と下流側の温度差が小さくなりダンパ１６自身の着霜、氷結を防止することができる。
【００４５】
なお、ダンパ１６を冷却器７の近傍に配置された冷気送風ファン８位置よりも同等または同等よりも低い位置に配設することで、デフロスト時の冷却器７からの暖気の流入を防止すると共に、冷却器７が扉開閉等により外気の湿度の流入で着霜した場合でも、冷却器７の温度上昇を促進し、確実にデフロストを行うことができる。
【００４６】
また、冷蔵室温度検知センサーを、冷蔵室戻り風路１１内のダンパ１６の上流側に設置することで、温度センサーが確実に庫内の温度を検知できるため、ドア開閉や高温の食品の投入等により、一時的な庫内の温度上昇に対してのセンサーの誤検知を防止することができる。
【００４７】
また、ダンパ１６のフラップをデフロスト中に閉じることにより、デフロスト時の冷却器７からの暖気の流入を確実に防止することができる。
【産業上の利用可能性】
【００４８】
以上のように、本発明にかかる冷蔵庫は、冷蔵庫本体に複数の仕切壁により冷凍から冷蔵までの温度帯で構成された複数の断熱区画のうち冷凍温度帯よりも高温の断熱区画の戻り風路内にダンパを配設したものであり、ダンパ装置を備えた冷凍機器全般の用途にも適用できる。
【図面の簡単な説明】
【００４９】
【図１】本発明の実施の形態１による冷蔵庫の正面図
【図２】同実施の形態の冷蔵庫の風路を示す正面図
【図３】同実施の形態においてダンパを冷気送風ファンよりも低い位置とした冷蔵庫の風路を示す正面図
【図４】本発明の実施の形態２による冷蔵庫の正面図
【図５】同実施の形態の冷蔵庫の風路を示す正面図
【図６】同実施の形態においてダンパを冷気送風ファンよりも低い位置とした冷蔵庫の風路を示す正面図
【図７】本発明の実施の形態３による冷蔵庫の正面図
【図８】同実施の形態の冷蔵庫の風路を示す正面図
【図９】同実施の形態においてダンパを冷気送風ファンよりも低い位置とした冷蔵庫の風路を示す正面図
【図１０】従来の冷蔵庫の風路を示す正面図
【符号の説明】
【００５０】
１    冷蔵庫本体
２    冷蔵室
３    切替室
４    製氷室
５    冷凍室
６    野菜室
７    冷却器
８    冷気送風ファン
１０  冷蔵室用吐出風路
１１  冷蔵室用戻り風路
１２  切替室用吐出風路
１３  切替室用戻り風路
１４  製氷室用吐出風路
１５  製氷室用戻り風路
１６  ダンパ
１７  特定低温室
【図１】
2008138981.tif 000003
【図２】
2008138981.tif 000004
【図３】
2008138981.tif 000005
【図４】
2008138981.tif 000006
【図５】
2008138981.tif 000007
【図６】
2008138981.tif 000008
【図７】
2008138981.tif 000009
【図８】
2008138981.tif 000010
【図９】
2008138981.tif 000011
【図１０】
2008138981.tif 000012